(57)【要約】      （修正有）【課題】アクセサリー感覚で携帯できる携帯印鑑を提供する。【解決手段】基体１の一方側に装飾部若しくは装飾品３を取付可能な装飾取付部２を設け、この装飾部若しくは装飾取付部２の反対側である基体１の他方側に印章部を設け、この印章部を開閉自在に閉塞する閉塞蓋を前記基体１若しくは印章部に設けて、この閉塞蓋を開放することにより印章部を押印可能に構成し、この基体１に、前記印章部は見えず前記装飾部若しくは前記装飾取付部２に取り付けた装飾品３は見える状態で被取付部６に対して取り付けられるクリップ部７を設けた。【選択図】図６
0003166248.tif 000002
【実用新案登録請求の範囲】
【請求項１】
基体の一方側に装飾部若しくは装飾品を取付可能な装飾取付部を設け、この装飾部若しくは装飾取付部の反対側である基体の他方側に印章部を設け、この印章部を開閉自在に閉塞する閉塞蓋を前記基体若しくは印章部に設けて、この閉塞蓋を開放することにより印章部を押印可能に構成し、この基体に、前記印章部は見えず前記装飾部若しくは前記装飾取付部に取り付けた装飾品は見える状態で被取付部に対して取り付けられるクリップ部を設けたことを特徴とする携帯印鑑。
【請求項２】
前記閉塞蓋は、前記基体の一方側にスライド開閉自在若しくは起伏回動開閉自在に設けたことを特徴とする請求項１記載の携帯印鑑。
【請求項３】
扁平形状の前記基体の一方側に前記装飾部若しくは前記装飾取付部を設け、この装飾部若しくは装飾取付部の反対側である基体の他方側に前記印章部を設けたことを特徴とする請求項１，２のいずれか１項に記載の携帯印鑑。
【請求項４】
前記印章部は、その背面側に押動部を備えると共に、この押動部が前記基体の一方側に露出するようにして基体に設け、前記閉塞蓋を開放した際にこの押動部を押動することで印章部が基体の他方側から突出して押印可能となるように構成したことを特徴とする請求項１〜３のいずれか１項に記載の携帯印鑑。
【請求項５】
前記基体に挟み体を設けて、この挟み体と基体の他方側とで被取付部に挟むようにして取り付け可能な前記クリップ部を構成したことを特徴とする請求項１〜４のいずれか１項に記載の携帯印鑑。
【考案の詳細な説明】
【技術分野】
【０００１】
本考案は、アクセサリー感覚で携帯できる携帯印鑑に関するものである。
【背景技術】
【０００２】
印鑑は、一般的に円柱形を呈するものが主流であり、専用のケースや袋などに入れて携帯される場合が多い。
【０００３】
また従来、名刺入れや財布に入れて携帯可能なカード形の印鑑も実施されている（例えば、特許文献１参照。）。
【先行技術文献】
【特許文献】
【０００４】
【特許文献１】実公平６−１６７７６号公報
【考案の概要】
【考案が解決しようとする課題】
【０００５】
本考案は、衣服のポケットに取り付けたり、携帯する手帳やノートなどに取り付けたりしてアクセサリー感覚で携帯できる商品価値の高い携帯印鑑を提案するものである。
【課題を解決するための手段】
【０００６】
添付図面を参照して本考案の要旨を説明する。
【０００７】
基体１の一方側に装飾部若しくは装飾品３を取付可能な装飾取付部２を設け、この装飾部若しくは装飾取付部２の反対側である基体１の他方側に印章部４を設け、この印章部４を開閉自在に閉塞する閉塞蓋５を前記基体１若しくは印章部４に設けて、この閉塞蓋５を開放することにより印章部４を押印可能に構成し、この基体１に、前記印章部４は見えず前記装飾部若しくは前記装飾取付部２に取り付けた装飾品３は見える状態で被取付部６に対して取り付けられるクリップ部７を設けたことを特徴とする携帯印鑑に係るものである。
【０００８】
また、前記閉塞蓋５は、前記基体１の一方側にスライド開閉自在若しくは起伏回動開閉自在に設けたことを特徴とする請求項１記載の携帯印鑑に係るものである。
【０００９】
また、扁平形状の前記基体１の一方側に前記装飾部若しくは前記装飾取付部２を設け、この装飾部若しくは装飾取付部２の反対側である基体１の他方側に前記印章部４を設けたことを特徴とする請求項１，２のいずれか１項に記載の携帯印鑑に係るものである。
【００１０】
また、前記印章部４は、その背面側に押動部８を備えると共に、この押動部８が前記基体１の一方側に露出するようにして基体１に設け、前記閉塞蓋５を開放した際にこの押動部８を押動することで印章部４が基体１の他方側から突出して押印可能となるように構成したことを特徴とする請求項１〜３のいずれか１項に記載の携帯印鑑に係るものである。
【００１１】
また、前記基体１に挟み体９を設けて、この挟み体９と基体１の他方側とで被取付部６に挟むようにして取り付け可能な前記クリップ部７を構成したことを特徴とする請求項１〜４のいずれか１項に記載の携帯印鑑に係るものである。
【考案の効果】
【００１２】
本考案は上述のように構成したから、クリップ部により基体の他方側の印章部は見えず、基体の一方側の装飾部若しくは装飾取付部に取り付けた装飾品は見える状態で被取付部に対して取り付けできるので、アクセサリー感覚で携帯することができ、特に基体の一方側に装飾品を取付可能な装飾取付部を設けた場合には、この装飾取付部にユーザーが自分好みにデコレーションして価値を高めることができ、しかも本考案は、印章部を開閉自在に閉塞する閉塞蓋を基体若しくは印章部に設けて、この閉塞蓋を開放することにより印章部を押印可能に構成したから、印章部を閉塞蓋で閉塞して被取付部が汚れることを確実に防止できるなど、極めて実用性に優れた商品価値の高い携帯印鑑となる。
【００１３】
また、請求項２記載の考案においては、閉塞蓋（印章部）の開閉操作を容易に行うことができると共に、閉塞蓋を紛失してしまう心配もないなど、一層実用性に優れた構成の携帯印鑑となる。
【００１４】
また、請求項３記載の考案においては、薄型で携帯してもかさばらない本考案の携帯印鑑を容易に設計実現可能となる。
【００１５】
また、請求項４記載の考案においては、簡易に押印操作可能な印章部を備えた本考案の携帯印鑑を容易に設計実現可能となる。
【００１６】
また、請求項５記載の考案においては、被取付部に対しこの被取付部を挟み込むようにして確実に取付可能であって、且つ印章部が見えず装飾部若しくは装飾取付部に取り付けた装飾品は見える状態で被取付部に対して取り付けられるクリップ部を簡易に設計実現可能となる一層実用性に優れた構成の携帯印鑑となる。
【図面の簡単な説明】
【００１７】
【図１】本実施例を示す正面側からの斜視図である。
【図２】本実施例を示す一部を切り欠いた説明側面図である。
【図３】本実施例を示す背面側からの斜視図である。
【図４】図３において、閉塞蓋を開放して印章部を露出させた状態を示す斜視図である。
【図５】図４において、印章部を基体の他方側から突出させた状態（押印する状態）を示す斜視図である。
【図６】本実施例の使用状態を示す説明図である。
【考案を実施するための形態】
【００１８】
好適と考える本考案の実施形態を、図面に基づいて本考案の作用を示して簡単に説明する。
【００１９】
本考案の携帯印鑑は、基体１の一方側に装飾部若しくは装飾品３を取付可能な装飾取付部２を設けているので、この基体１の一方側の外観は、装飾部若しくは装飾取付部２に取り付けた装飾品３が表出するアクセサリーのように見える。
【００２０】
特に、基体１の一方側に装飾品３を取付可能な装飾取付部２を設けた場合には、この装飾取付部２にユーザー自らが所望の装飾品３を取り付け、自分好みにデコレーションして価値を高めることができる。
【００２１】
また、本考案の携帯印鑑は、クリップ部７により例えば衣服10のポケット11や手帳やノートなどの被取付部６として取り付けして容易に携帯可能である。
【００２２】
この際、本考案の携帯印鑑は、クリップ部７により基体１の他方側の印章部４は見えないが、基体１の一方側の装飾部若しくは装飾取付部２に取り付けた装飾品３は見える状態で被取付部６に対して取り付けられる。
【００２３】
即ち、携帯時には装飾部若しくは装飾取付部２に取り付けた装飾品３が外部に表出した状態で被取付部６に取り付けられるので、一見して印鑑と認識されることはなく、あたかもアクセサリーのように見える。
【００２４】
また、この際に印章部４を閉塞蓋５で閉塞しておくことにより、印章部４が被取付部６に触れて汚れることを防止できる。
【００２５】
従って、本考案の携帯印鑑は、アクセサリー感覚で携帯でき、また印章部４を具備するものでありながら、印章部４で被取付部６を汚してしまうこともないので、非常に商品価値が高い。
【００２６】
印章部４を使用したい時は、クリップ部７（本考案の携帯印鑑）を被取付部６から取り外し、閉塞蓋５を開放することで押印可能となる。押印終了後に印章部４を閉塞蓋５で閉塞すると、本考案の携帯印鑑を再び被取付部６に取り付けする際に印章部４が被取付部６に触れて汚れることを防止できる。
【００２７】
また、例えば、前記閉塞蓋５は、前記基体１の一方側にスライド開閉自在若しくは起伏回動開閉自在に設ければ、閉塞蓋５を基体１の一方側に対してスライド操作若しくは起伏回動操作することによって印章部４を開放状態と閉塞状態とに切り替えできる。
【００２８】
従って、この閉塞蓋５（印章部４）の開閉操作を容易に行うことができ、しかも脱着式の閉塞蓋５のように閉塞蓋５を紛失してしまう心配もない。
【００２９】
また、例えば、扁平形状の前記基体１の一方側に前記装飾部若しくは前記装飾取付部２を設け、この装飾部若しくは装飾取付部２の反対側である基体１の他方側に前記印章部４を設ければ、薄型で携帯してもかさばらない本考案の携帯印鑑を容易に設計実現可能となる。
【００３０】
また、例えば、前記印章部４は、その背面側に押動部８を備えると共に、この押動部８が前記基体１の一方側に露出するようにして基体１に設け、前記閉塞蓋５を開放した際にこの押動部８を押動することで印章部４が基体１の他方側から突出して押印可能となるように構成すれば、閉塞蓋５を開放し、基体１一方側に露出する押動部８を押動操作するだけで基体１他方側から印章部４が突出して押印できる。
【００３１】
また、例えば、前記基体１に挟み体９を設けて、この挟み体９と基体１の他方側とで被取付部６を挟むようにして取り付け可能な前記クリップ部７を構成すれば、被取付部６に対しこの被取付部６を挟み体９と基体１の他方側との間に挟み込むようにしてクリップ部７を取り付けることができ、この際、印章部４は見えず装飾部若しくは装飾取付部２に取り付けた装飾品３は見える状態で被取付部６に対して取り付けられる。
【実施例】
【００３２】
本考案の具体的な実施例について図面に基づいて説明する。
【００３３】
本実施例の携帯印鑑は、基体１の一方側（前側）板面に装飾品３を取付可能な装飾取付部２を設け、この装飾取付部２の反対側である基体１の他方側（後側）板面に印章部４を設け、この印章部４を開閉自在に閉塞する閉塞蓋５を前記基体１若しくは印章部４に設けて、この閉塞蓋５を開放することにより印章部４を押印可能に構成している。尚、基体１の一方側板面に予め装飾が施された装飾部を設ける構成としても良い。
【００３４】
具体的には、本実施例の基体１は、扁平（薄型）形状の小型（小径）円板体で構成し、この基体１の中心部に取付孔部を貫通形成してこの取付孔部に前記印章部４を設けている。
【００３５】
本実施例の印章部４は、基体１より更に薄形で且つ小型な方形状のインキ浸透印を採用している。
【００３６】
また、この印章部４は、印判４Ａの反対側の背面に方形平坦面状の押動部８を付設した構成とし、この押動部８が常態で前記基体１の一方側板面と略面一状態で基体１一方側に露出するようにして前記取付孔部に配設することで、印判４Ａが基体１他方側を向くようにしている。そして、この平坦面状の押動部８は、前記装飾取付部２の一部としても機能する構成としている。
【００３７】
また、この印章部４は、前記基体１の一方側から前記押動部８を指で基体１他方側へ押動すると、前記常態から前記取付孔部に対し基体１の厚み方向に可動して、印章部４前面の印判４Ａが基体１の他方側から突出して押印可能となるように構成し、この押動部８から指を離して押動解除すると、自動的に元の位置（常態）に復帰移動する適宜な復帰機構（図示省略）を具備している。
【００３８】
また、本実施例の閉塞蓋５は、前記基体１の他方側に設けている。
【００３９】
具体的には、基体１の他方側に、蟻溝形のスライド用溝部12をその溝長が基体１上下方向と一致するようにして一体的に形成し、このスライド用溝部12内に前記印章部４が位置するように構成している。
【００４０】
また、このスライド用溝部12に方形板状の前記閉塞蓋５をスライド自在に装着する一方、前記印章部４は、前記常態で印判４Ａが閉塞蓋５のスライド軌跡よりも基体１内方の前記取付孔部内に位置するように構成して、この閉塞蓋５の開閉スライド移動に常態の印章部４が邪魔とならないようにしている。
【００４１】
従って、この閉塞蓋５をスライド移動して前記印章部４を覆い隠すように閉塞することができ、これにより印章部４を押印不能状態且つ被取付部６に接触不能状態にでき、この閉塞状態から閉塞蓋５を逆方向にスライド移動して印章部４の印判４Ａの前方から退避させると（印章部４を開放させると）、印章部４を基体１の他方側板面より突出させて押印できるように構成している。
【００４２】
また、この閉塞蓋５は、印章部４を完全に開放するとそれ以上は開放方向にスライド移動不能で且つスライド用溝部12に対して抜け止め状態となるように構成し、これにより閉塞蓋５が基体１（スライド用溝部12）から分離して紛失してしまうことを防止している。
【００４３】
また、この閉塞蓋５は、表面にこの閉塞蓋５のスライド方向と直交する方向に溝長を有する滑り止め溝14を複数刻設して、この閉塞蓋５を指でスライド操作し易くしている。
【００４４】
尚、閉塞蓋５は、前記基体１の一方側に起伏回動開閉自在に設ける構成としても良い。
【００４５】
本実施例は、前記基体１に、前記印章部４は見えず前記装飾部若しくは前記装飾取付部２に取り付けた装飾品３は見える状態で被取付部６に対して取り付けられるクリップ部７を設けている。
【００４６】
具体的には、前記基体１に、この基体１よりも一回り径大なリング板状の挟み体９を設けて、この挟み体９と基体１の他方側とで被取付部６を挟むようにしてこの被取付部６に取り付け可能な前記クリップ部７を構成している。
【００４７】
更に詳しくは、基体１と挟み体９とは、例えば樹脂製として基体１の上部と挟み体９の上部内縁とが一体的に連設する構成とし、この基体１と挟み体９との連設部を、その撓み弾性によって屈曲可能なヒンジ部13としている。即ち、このヒンジ部13の弾性に抗して挟み体９の前側板面と基体１の閉塞蓋５を含んだ他方側板面とを互いに離反させることで被取付部６を挟み込み可能な空隙を形成でき、この挟み体９と基体１の他方側とで被取付部６を挟み込むと、ヒンジ部13の復帰弾性によりこの挟み込み状態が保持されて被取付部６に取り付け可能な構成としている。
【００４８】
また、本実施例では、この挟み体９の前側板面も装飾取付部２として機能する構成としている。
【００４９】
図６は、本実施例の使用状態を示したもので、衣服10の胸ポケット11の上縁部を被取付部６として取り付けした場合を示している。尚、図示していないが、クリップ部７により手帳やノートなどの携帯物に取り付けて携帯することも可能である。また、図６では、基体１の一方側板面の装飾取付部２と、挟み体９前側板面の装飾取付部２とに宝石様の装飾品３を取り付けして装飾した場合を示しているが、装飾取付部２に他の装飾品３を取り付けして装飾しても良いし、装飾取付部２に所属，資格，職位，役職などを表示したもの装飾品３として取り付けて本実施例の携帯印鑑を社章（バッジ）のようにして扱うことも可能である。
【００５０】
尚、本考案は、本実施例に限られるものではなく、各構成要件の具体的構成は適宜設計し得るものである。
【符号の説明】
【００５１】
１  基体
２  装飾取付部
３  装飾品
４  印章部
５  閉塞蓋
６  被取付部
７  クリップ部
８  押動部
９  挟み体
【図１】
0003166248.tif 000003
【図２】
0003166248.tif 000004
【図３】
0003166248.tif 000005
【図４】
0003166248.tif 000006
【図５】
0003166248.tif 000007
【図６】
0003166248.tif 000008